(57)【要約】【課題】シーリングファンの取付作業やシーリングファンヘの電源供給のための結線作業を飛躍的に容易化し、一般の人が家庭等で容易に取り付けることができるシーリングファンを提供する。【解決手段】取り付けられる白熱灯１３の点灯制御及びモータ５の駆動制御を担う制御部８とモータ５とをケーシング２に収容し、外部から導入する電源を制御部８、白熱灯１３及びモータ５に供給し、白熱灯１３を点灯すると共に、モータ５を駆動してケーシング２に対して回転可能に設けられた羽根体１１を回転するシーリングファン１であって、ケーシング２の上側に設けられ、天井側ソケット１５に螺着されて天井側ソケット１５から電源を導入する口金６と、ケーシング２の下側に設けられ、白熱灯１３の口金１３１が螺着されて白熱灯１３に電源を導出するソケット部２２３を備える。【選択図】図５
2007162673.tif 000002
【特許請求の範囲】
【請求項１】
電球をさしこんで使用するソケットにおいて、
ソケットのソケット孔に電気的に接続可能に螺合するネジ部と、
前記ネジ部の下端に結合され、回転羽を特つ円筒状回転部材を伝動手段によって回転させるモータ部と、
前記回転部材の内径部に固定され、電球がさしこまれる補助ソケットと、
を含んでなることを特徴とする扇風機機能付きソケット。
【請求項２】
前記回転羽は、円筒状回転部材付近でヒンジで結合され、垂直に折り畳まれるように構成されることを特徴とする請求項１に記載の扇風機機能付きソケット。
【請求項３】
前記モータ部は、モータを収容するハウジングと、前記モータの回転軸に連結されて円筒状回転部材を回転させる伝動手段のプーリ及びプーリベルトと、前記回転部材が回転可能に遊着されるベアリングとを含んでなることを特徴とする請求項１に記載の扇風機機能付きソケット。
【請求項４】
取り付けられる照明器具の点灯制御及びモータの駆動制御を担う制御部とモータとをケーシングに収容し、外部から導入する電源を制御部及び照明器具及びモータに供給し、照明器具を点灯すると共に、モータを駆動してケーシングに対して回転可能に設けられた羽根体を回転するシーリングファンであって、ケーシングの上側に設けられ、天井若しくは天井近傍に設けられた被係合具に係着されて被係合具から電源を導入する係合部を備えることを特徴とするシーリングファン。
【請求項５】
ケーシングの下側に設けられ、照明器具の係合部位若しくは照明器具の取付器具の係合部位が係着されて照明器具に電源を導出する被係合部を備えること特徴とする請求項４記載のシーリングファン。
【請求項６】
前記被係合部の係合箇所の形状及び大きさが前記天井若しくは天井近傍に設けられた被係合具の係合箇所の形状及び大きさと同一であることを特徴とする請求項５記載のシーリングファン。
【請求項７】
前記天井若しくは天井近傍に設けられた被係合具が天井側ソケット、前記係合部が該天井側ソケットに螺着される口金であると共に、前記照明器具の係合部位若しくは前記取付器具の係合部位が口金、前記被係合部が該照明器具若しくは該取付器具の口金が螺着されるソケット部であることを特徴とする請求項５又は６記載のシーリングファン。
【請求項８】
前記羽根体を根元部と該根元部の先端に基端が軸着される翼部とで構成し、翼部を略水平状態から略垂直状態に上方へ回転可能とすることを特徴とする請求項４乃至７の何れかに記載のシーリングファン。
【発明の詳細な説明】
【技術分野】
【０００１】
本発明は、電球をさしこむソケットに係り、より詳しくは、既存のソケットにさしこんで使用するネジ部と、このネジ部に結合され、回転羽を持つモータ部と、このモータ部の下端に取り付けられ、電球をさしこむ補助ソケットとを持つ扇風機機能付きソケット、及び天井に取り付けられて空気を循環するシーリングファンに係り、特に照明器具が取り付けられるシーリングファンに関する。
【背景技術】
【０００２】
一般に、ソケットはさしこまれた電球を支持する機能を有するもので、多様なデザインのものが開発されたが、一例として、図１に示すように、電球と接続する端子Ｔ１、Ｔ２を持つソケット孔３０９が形成されたソケット３０１と、前記ソケット３０１と螺合して上端で電線３０７を連結するカバー３０６と、カバー３０６の内部空間に設けられ、電線３０７を固定する電線ホルダ３０４と、前記電線ホルダ３０４が固定される電線ホルダブロック３０５と、ソケット３０１の端子Ｔ１のオン／オフを切り替えるスイッチレバー３０８と、からなる。
【０００３】
しかし、このような構成は、単純にさしこまれた電球を支持する機能を有するものなので、暑い夏季には別の扇風機を具備しなければならないのが実情であり、電球下で仕事をするか勉強をする場合、電球の熱気のため、長く座っていることが難しいのが実情である。
【０００４】
このような問題に対して、従来、天井に取り付けられて空気を循環し、取り付けられる照明器具で室内を照明するシーリングファンが知られている。斯様なシーリングファンは、例えば天井に取り付けられるケーシング内に駆動機構を内蔵し、駆動機構に電源を供給して羽根体を作動すると共に、前記ケーシングの下方に取り付けられる照明器具に電源を供給して室内を照明する構成となっている（特許文献１参照）。
【特許文献１】特開２００５−１５５５５８号公報
【発明の開示】
【発明が解決しようとする課題】
【０００５】
ところで、上記シーリングファンは、シーリングファンを天井に取り付ける作業やシーリングファンヘの電源供給のための結線作業に多大な労力を必要とし、一般の人が取り付けることは非常に困難である。特許文献１のシーリングファンは、照明器具を引掛シーリングで接続する構成により照明器具の取付や照明器具の結線作業を容易化しているものの、シーリングファン本体の取付作業や結線作業は未だ困難なものとなっている。
【０００６】
本発明は上記課題に鑑み提案するものであって、既存のソケットにさしこんで使用可能であり、電球も連結することができる扇風機機能付きソケットを提供することを目的とする。また、本発明は、シーリングファン本体の取付作業やシーリングファンヘの電源供給のための結線作業を飛躍的に容易化することができ、一般の人が家庭等で容易に取り付けることができるシーリングファンを提供することを目的とする。
【課題を解決するための手段】
【０００７】
本発明の扇風機機能付きソケットは、既存のソケットと結合可能なネジ部と、ネジ部の下側に取り付けられ、回転羽を持つモータ部と、モータ部の下側に取り付けられる補助ソケットとを含んでなる。
【０００８】
すなわち、本発明は、電球をさしこんで使用するソケットにおいて、ソケットのソケット孔に電気的に接続可能に螺合するネジ部と、前記ネジ部の下端に結合され、回転羽を持つ円筒状回転部材を伝動手段によって回転させるモータ部と、前記回転部材の内径部に固定され、電球がさしこまれる補助ソケットと、を含んでなる扇風機機能付きソケットを備えることを特徴とする。
【０００９】
また、本発明のシーリングファンは、取り付けられる照明器具の点灯制御及びモータの駆動制御を担う制御部とモータとをケーシングに収容し、外部から導入する電源を制御部及び照明器具及びモータに供給し、照明器具を点灯すると共に、モータを駆動してケーシングに対して回転可能に設けられた羽根体を回転するシーリングファンであって、ケーシングの上側に設けられ、天井若しくは天井近傍に設けられた被係合具に係着されて被係合具から電源を導入する係合部を備えることを特徴とする。
【００１０】
また、本発明のシーリングファンは、ケーシングの下側に設けられ、照明器具の係合部位若しくは照明器具の取付器具の係合部位が係着されて照明器具に電源を導出する被係合部を備えること特徴とし、更には、前記被係合部の係合箇所の形状及び大きさが前記天井若しくは天井近傍に設けられた被係合具の係合箇所の形状及び大きさと同一であることを特徴とする。
【００１１】
また、本発明のシーリングファンに於いて、前記天井若しくは天井近傍に設けられた被係合具を天井側ソケット、前記係合部を該天井側ソケットに螺着される口金とすると好適であるが、前記被係合具と係合部は係合部を被係合具に係着できる構成であれば適宜であり、例えば天井側の被係合具を下板若しくは下方に突出する側板に複数の係合孔が形成された構成とし、前記係合部として、上方へ突出する突出する突出片と突出片の上端から内方若しくは外方へ略直角に屈曲する屈曲片とで構成される可撓性等の係合片を複数設け、前記各係合片を前記各係合孔にそれぞれ係合する構成等とすることも可能である。また、前記照明器具の係合部位若しくは前記取付器具の係合部位を口金、シーリングファンの被係合部を該照明器具若しくは該取付器具の口金が螺着されるソケット部とすると好適であるが、前記照明器具や取付器具の係合部位と被係合部は照明器具や取付器具の係合部位を被係合部に係着できる構成であれば適宜であり、例えば前記被係合部と係合部と同様に、被係合部を下板若しくは側板に係合孔が形成された構成とし、係合部として係合片を複数設け、前記各係合片を前記各係合孔にそれぞれ係合する構成等とすることも可能である。
【００１２】
また、本発明のシーリングファンは、前記羽根体を根元部と該根元部の先端に基端が軸着される翼部とで構成し、翼部を略水平状態から略垂直状態に上方へ回転可能とすることを特徴とする。また、前記構成は、照明器具を取り付けるシーリングファンの他に通常のシーリングファンに適用することも可能であり、例えばモータの駆動制御を担う制御部とモータとをケーシングに収容し、外部から導入する電源を制御部及びモータに供給し、モータを駆動してケーシングに対して回転可能に設けられた羽根体を回転するシーリングファンで、羽根体を根元部と該根元部の先端に基端が軸着される翼部とで構成し、翼部を略水平状態から略垂直状態に上方へ回転可能とする構成等とすることも可能である。
【００１３】
尚、本願の発明には、各発明の部分的な構成を他の構成に変更し、或いは各発明の構成に他の構成を付加し、或いは各発明の部分的な構成を部分的な作用効果が得られる限度で削除して上位概念化したものも含まれる。また、本発明に於けるケーシングは、例えば全体的に略円筒形のケーシングや、羽根の上側に設けられる上部ケーシングと羽根の下側に設けられる下部ケーシングとで構成されるもの等とすることが可能である。また、本発明に於ける照明器具は適宜であり、例えば白熱電球やＬＥＤ電球等の電球や、ＬＥＤランプ等とすることが可能である。また、本発明は、例えば机上で使用する照明器具、玩具等として、天井以外に設けられるソケットに取り付ける照明器具付きのファン或いはファン付き照明器具としても利用することが可能である。
【発明の効果】
【００１４】
本発明の扇風機機能付きソケットは、既存の電気ソケットに連結して使用するので、設置及び使用が簡単であり、補助ソケットを通じて電球を既存のようにさしこむことができて電気ソケットの機能を維持し、電気ソケットに結合されるネジ部の下部にモータ部が設けられ、モータ部は回転する円筒状の回転部材を回転させ、回転部材に取り付けられた回転羽はヒンジを中心として折り畳まれるので、移動時に小さな空間を占めることになり、これにより物流費用を減らすことになる。
【００１５】
本発明のシーリングファンは、ケーシング上側の電源を導入する口金等の係合部を天井側ソケット等の天井側の被係合具に係着して取り付けるものであるから、シーリングファン本体の取付作業やシーリングファンへの電源供給のための結線作業を飛躍的に容易化することができ、一般の人が家庭等で容易に取り付けることができる。
【００１６】
また、ケーシング下側のソケット部など照明器具へ電源を導出する被係合部に、照明器具の口金或いは照明器具の取付器具の口金等の係合部位が係着されて取り付けられるものであるから、照明器具の取付や照明器具の結線作業等を容易化することができる。
【００１７】
また、ソケット部の螺合筒所など被係合部の係合筒所の形状及び大きさと、天井側ソケットの螺合筒所など天井側被係合具の係合筒所の形状及び大きさと同一とすることにより、例えば天井側ソケットに設置されている照明器具を取り外し、天井側ソケットにシーリングファンの口金を螺合してシーリングファンを取り付け、シーリングファンのソケット部に照明器具の口金を螺合して照明器具を取り付けることが可能となり、天井側ソケットに設けられていた既設の照明器具をシーリングファンに取り付けて使用することが可能となる。
【００１８】
また、羽根体を根元部と根元部の先端に基端が軸着される翼部とで構成し、翼部を略水平状態から略垂直状態に上方へ回転可能とすることにより、例えば運搬時・販売時・収納時に翼部を略垂直状態にして全体的に細長の形状にし、筒形のケースに収容することが可能となる。即ち、流通過程や収納時に於ける嵩張りを無くし、運搬や保管等のコスト低減、運搬時の利便性の向上、収納スペースの低減を図ることができる。
【発明を実施するための最良の形態】
【００１９】
以下、本発明の実施例を図面に基づいて詳細に説明する。ここで、本発明は、扇風機機能付きソケットであるとも、シーリングファンであるとも言えるので、以下の説明では、この２つの観点から本発明を説明する。
【００２０】
まず、本発明を扇風機機能付きソケットとして見た場合の実施形態について説明する。図２は本発明の断面図、図３は本発明の平面図、図４は本発明の結線図である。これら図に示すように、本発明による扇風機機能付きソケット１は、電球をさしこんで（ねじこんで）使用するソケットであって、図１に示したような既存のソケット３０１のソケット孔３０９に電気的に接続可能に螺合するネジ部（口金）６と、前記ネジ部６の下端に結合され、回転羽（羽根体）１１を持つ円筒状回転部材（ベース）１１１を伝動手段２５によって回転させるモータ部（上部ケーシング）２１と、前記円筒状回転部材１１１の内径部に固定され、電球がさしこまれる（ねじこまれる）補助ソケット（下部ケーシング）２２とを含んでなる。
【００２１】
前記回転羽１１は、円筒状回転部材１１１付近でヒンジ３２で結合され、垂直に折り畳まれるように構成される。
【００２２】
前記モータ部２１は、モータ５を収容するハウジング２１ａと、モータ５の回転軸２３に連結されて円筒状回転部材１１１を回転させる伝動手段２５のプーリ７及びプーリベルト１２と、前記円筒状回転部材１１１が回転可能に遊着されるベアリング１０とを含んでなる。
【００２３】
また、前記モータ部２１は、交流電源を端子Ｔ１０、Ｔ２０を通じて受けて整流する整流部（ＡＣ／ＤＣコンバータ）４を含む。また、補助ソケット２２は、ソケット孔（ソケット部）２２３に電球と接触する端子Ｔ１１、Ｔ２１を持ち、少なくとも一つの端子（例えば、Ｔ１１）のオン／オフを切り替える補助ソケットスイッチ４１が作動可能な位置に取り付けられる。
【００２４】
このように構成される本発明は、使用の時、図２のような本発明のソケットを、例えば、図１のような既存のソケット３０１のソケット孔３０９に、ネジ部６が螺合されるように結合させる。すると、図４のように、既存のソケット３０１の端子Ｔ１、Ｔ２がネジ部６の端子Ｔ１０、Ｔ２０と電気的に接続されて通電され、この状態で、図２に示す補助ソケットスイッチ４１をターンオンさせれば、ソケット孔２２３にさしこまれた電球（白熱灯）１３（図４）に電気が提供されて電球を点灯させる。
【００２５】
また、本発明は、電圧が端子Ｔ１０、Ｔ２０を通じて整流部４に印加され、整流部４を経た直流電圧はモータ５を駆動させる。モータ５の駆動力は回転軸２３を通じて出力され、回転軸２３の回転力は伝動手段２５を成すプーリ７とプーリベルト１２を介して円筒状回転部材１１１を回転させることになる。円筒状回転部材１１１の下端外周には、ヒンジ３２によって折り畳まれる回転羽１１が遊着されているので、保管時には垂直に折り畳まれるが、使用時には自重によって水平に広がり、円筒状回転部材１１１の回転力は回転羽１１を回転させる。
【００２６】
したがって、使用者は、電球ソケットにさしこまれて一体になった補助ソケットに電球をさしこんで、一般のソケットの機能を維持するとともに、回転可能な回転羽を結合して扇風機としての機能を兼ねるようにする。
【００２７】
次に、本発明をシーリングファンとして見た場合の実施形態について詳細に説明する。
【００２８】
第１実施形態のシーリングファン１は、図５及び図６に示すように、略円筒形の上部ケーシング（モータ部）２１と略円筒形の下部ケーシング（補助ソケット）２２で構成されるケーシング２を有し、上部ケーシング２１と下部ケーシング２２は略円筒形の連結筒３を介して連結されている。連結筒３の上部外周には雄ねじ部３１が形成され、上部ケーシング２１内の略中央位置には雌ねじ部２１１が形成されており、雄ねじ部３１を雌ねじ部２１１に螺着して、連結筒３は上部ケーシング２１に固定されている。連結筒３の下部外周には下端面３２の径が大きくなっている段差部３３が形成され、下部ケーシング２２の上板２２１の略中心には係合穴２２２が形成されており、上板２２１を下端面３２に載置し且つ係合穴２２２を段差部３３に嵌合して、連結筒３は下部ケーシング２２に固定されている。
【００２９】
前記上部ケーシング２１内には、ＡＣ／ＤＣコンバータ（整流部）４と、ＡＣ／ＤＣコンバータ４に接続されている制御部８と、制御部８に接続され且つ回転軸にプーリ７が取り付けられているモータ５とが内蔵され、又、上部ケーシング２１の上板２１２上には口金（ネジ部）６が設けられている。
【００３０】
また、シーリングファン１は、小径の上部１１１ａと大径の下部１１１ｂとからなる段差を有する筒形のベース（円筒状回転部材）１１１と、ベース下部１１１ｂから所定間隔を開けて水平放射状に３方向へ突出形成された根元部１１２と、各根元部１１２に略水平に設けられている翼部１１３とて構成される羽根体（回転羽）１１を有する。羽根体１１のベース１１１は連結筒３の外周にベアリング１０を介して周設されており、ベース上部１１１ａは上部ケーシング２１の内部に配設され、ベース下部１１１ｂは上部ケーシング２１と下部ケーシング２２との間に配設されている。ベース上部１１１ｂの外周に形成されている周溝１１１ｃとプーリ７にはベルト（プーリベルト）１２が巻回されており、モータ５の回転がプーリ７、ベルト１２を介してベース１１１に伝達され、羽根体１１、即ちベース１１１、根元部１１２、翼部１１３が回転するようになっている。
【００３１】
更に、羽根体１１の各翼部１１３は、各根元部１１２の先端にそれぞれ基端が軸着されており、図７の実線矢印に示すように、各翼部１１３は略水平状態から上方へ回転して略垂直状態にし、逆に略垂直状態から下方へ回転して略水平状態にすることが可能になっている。
【００３２】
前記翼部１１３と根元部１１２の軸着構成においては、図８に示すように、翼部１１３の基端の中央位置に翼部１１３の基端辺１１３ａの幅より長さが短い略円柱形の基端部１１３ｂが形成され、基端部１１３ｂの長手方向両側端からそれぞれピン１１３ｃが基端辺１１３ａの側端位置まで突出形成されていると共に、基端部１１３ｂの長手方向両側位置に略半円形の弧状係止片１１３ｄが根元部１１２の方向へ突出形成されている。前記弧状係止片１１３ｄの内径は基端部１１３ｂの外径と略同一であり、その幅はピン１１３ｃの長さと略同一になっている。根元部１１２の先端の両側寄りには、中央に基端部１１３ｂを挿入可能な間隔を開けて略円筒形の保持部１１２ａ・１１２ａが形成され、各保持部１１２ａには長手方向ヘスリット１１２ｂが形成されている。前記保持部１１２ａの外径は基端部１１３ｂの外径と略同一径で、その内径はピン１１３ｃの径より極僅かに大きくなっている。
【００３３】
そして、翼部１１３の基端は、その基端部１１３ｂを保持部１１２ａ・１１２ａ間に挿入しながら、ピン１１３ｃをスリット１１２ｂを開いて保持部１１２ａ内に押入して保持部１１２ａで保持させ、根元部１１２の先端に取り付けられる。前記取付状態では、ピン１１３ｃが保持部１１２ａ内を回転することにより翼部１１３が回転すると共に、弧状係止片１１３ｄが前記回転に伴って保持部１１２ａの外形に沿って摺動し、弧状係止片１１３ｄの先端１１３ｅが根元部１１２の下面１１２ｃに当接して翼部１１３が略水平状態より下方へ回転しないように規制している。また、翼部１１３の上方への回転は、翼部１１３が上部ケーシング２１に接触することで略垂直状態までで規制される。
【００３４】
また、シーリングファン１には、図５に示すように、下部ケーシング２２の下部に雌ねじが形成されたソケット部（ソケット孔）２２３が設けられ、ソケット部２２３に白熱灯（電球）１３の雄ねじが形成された口金１３１が螺着されると共に、シーリングファン１の雄ねじが形成された口金６は、天井１４に設置された雌ねじが形成されている天井側ソケット１５に螺着される。天井側ソケット１５は、天井１４の上に配設された電源コード１６に接続されている。前記ソケット部２２３と天井側ソケット１５の雌ねじ部分は同一形状で同一の大きさ、白熱灯１３の口金１３１とシーリングファン１の口金６は同一形状で同一の大きさになっており、例えば天井側ソケット１５に螺着された白熱灯１３を取り外し、天井側ソケット１５に口金６を螺着してシーリングファン１を天井側ソケット１５に取り付け、白熱灯１３の口金１３１をシーリングファン１のソケット部２２３に螺着して白熱灯１３をシーリングファン１に取り付けて、シーリングファン１及び白熱灯１３を設置することが可能である。尚、シーリングファン１は、８００ｇなど１ｋｇ以下の重量とする等、非常に軽量であり、天井側ソケット１５に取り付け可能な重量とされる。
【００３５】
前述の如くシーリングファン１及び白熱灯１３を設置し、壁スイッチ１７をＯＮにした場合（図９参照）、天井側ソケット１５には電源Ｗから交流電源が供給され、シーリングファン１の口金６に天井側ソケット１５から交流電源が供給される。ＡＣ／ＤＣコンバータ４には口金６から交流電源が供給され、前記交流電源はＡＣ／ＤＣコンバータ４で直流電源に変換され、制御部８及びモータ５に供給される。また、口金６から供給される交流電源は、制御部８を介して連結筒３内を通る配線９（図６に図示）により下部ケーシング２２内の白熱灯１３に導かれる。前記制御部８は、後述の白熱灯１３の点灯制御及びモータ５の駆動制御を担い、白熱灯１３のＯＮ／ＯＦＦ切替制御、羽根体１１のＯＮ／ＯＦＦ切替制御或いは羽根体１１の強回転ＯＮ／弱回転ＯＮ／ＯＦＦの切替制御、羽根体１１の正回転／逆回転の切替制御を、例えばケーシング２に設けられたスイッチ１８の切替に基づき或いは受光センサで赤外線リモコンからの制御信号の受信に基づき実行する。
【００３６】
上記第１実施形態のシーリングファン１は、天井側ソケット１５に螺着されている白熱灯１３を取り外し、上部ケーシング２１の口金６を天井側ソケット１５に螺着し、白熱灯１３の口金１３１を下部ケーシング２２のソケット部２２３に螺着するだけで、設置及び結線を完了することができる。従って、一般の人が家庭で容易に取り付けることが可能である。また、翼部１１３を上方に回転して略筒形とすることが可能であり、運搬時や収納時の嵩張りを無くすことができる。
【００３７】
次に、第２実施形態のシーリングファン１について説明する。尚、第２実施形態で特に言及しない構成は第１実施形態と同様である。
【００３８】
第２実施形態のシーリングファン１は、図１０に示すように、第１実施形態の口金６が設けられる構成に代え、上部ケーシング２１の上板２１２から突出して導電性の係合片１０１が一対で設けられている。各係合片１０１は、上方へ略垂直に突出する突出片と、前記突出片の上端から内方へ略直角に屈曲して略水平に延びる屈曲片とで形成されており、一対の係合片１０１・１０１は互いに対向して配置されている。
【００３９】
他方に於いて、天井１４には、第１実施形態の天井側ソケット１５に代え、電源コード１６に接続された引掛シーリング１０２が設けられており、引掛シーリング１０２の底板１０３には外方へ凸になっている弧状の係合孔１０４が一対で形成されている。各係合孔１０４は、前記屈曲片の長さよりも幅が僅かに広く且つ長さが短い幅広部１０４ａと、前記屈曲片の長さよりも狭く前記突出片の厚さよりも僅かに広い幅を有し且つ長さが長い幅狭部１０４ｂとて形成されており、一対の係合孔１０４・１０４は互いに点対称で配置されていると共に、一対の係合片１０１・１０１の位置と対応する位置に配置されている。
【００４０】
シーリングファン１を引掛シーリング１０２に取り付ける際には、係合片１０１・１０１をそれぞれ係合孔１０４・１０４に幅広部１０４ａ・１０４ａから挿入し、係合片１０１・１０１が幅狭部１０４ｂ・１０４ｂに位置するようにシーリングファン１を回転して取り付ける。シーリングファン１は引掛シーリング１０２に取り付け可能な重量とされている。引掛シーリング１０２の底板１０３の内面に於いて、係合孔１０４・１０４の幅狭部１０４ｂ・１０４ｂの内側位置にはそれぞれ端子部１０５・１０５が配設されており、取り付けられたシーリングファン１の係合片１０１の前記屈曲片が端子部１０５と接触して電気接続され、係合片１０１に交流電源が供給される。尚、前記供給される電源は、制御部８、モータ５及び後述する又ソケット１０６、白熱灯１３に導入され、第１実施形態と同様に制御される。
【００４１】
また、第２実施形態では、第１実施形態の下部ケーシング２２のソケット部２２３に口金１３１を螺着して白熱灯１３が直接設けられる構成に代え、口金１０６ａをソケット部２２３に螺着して２又、３又、４又等の又ソケット１０６が設けられている。又ソケット１０６の各ソケット部１０６ｂには、口金１３１を螺着してそれぞれ白熱灯１３が設けられている。即ち、下部ケーシング２２のソケット部２２３には、取付器具である又ソケット１０６を介在して、間接的に白熱灯１３が設けられている。
【００４２】
尚、シーリングファン１の下部に、ソケット部２２３を設ける構成に代え、上記引掛シーリング１０２と同様の構成の引掛部を設け、前記係合片１０１と同様の係合片を上端に有する電球等の照明器具或いは又ソケット１０６のように介在する取付器具を、前記引掛部に前記係合片を引っ掛けることにより、シーリングファン１の下方に設ける構成とすることも可能である。また、第２実施形態でも、第１実施形態と同様に、ソケット部２２３に白熱灯１３の口金１３１を螺着して、ソケット部２２３に白熱灯１３を直接設けるようにしてもよい。
【００４３】
上記第２実施形態のシーリングファン１は、上部ケーシング２１の係合片１０１を引掛シーリング１０２の係合孔１０４に係合して天井に設置し、白熱灯１３の口金１３１をソケット部２２３に螺着する、或いは又ソケット１０６の口金１０６ａをソケット部２２３に螺着して、白熱灯１３の口金１３１をソケット部１０６ｂに螺着するだけで、設置及び結線を完了することができる。従って、一般の人が家庭で容易に取り付けることが可能である。
【産業上の利用可能性】
【００４４】
本発明は、既存のソケットにさしこんで（ねじ込んで）使用可能であり、電球もさしこんで（ねじ込んで）使用することができる扇風機機能付きソケットとして利用できる。また、天井に取り付けられて空気を循環するシーリングファンとして利用することができる。
【図面の簡単な説明】
【００４５】
【図１】一般のソケットの例を示す一部切欠正面図である。
【図２】本考案の断面図である。
【図３】本考案の平面図である。
【図４】本考案の結線例示図である。
【図５】第１実施形態のシーリングファンを天井に取り付けた状態を示す一部縦断正面図。
【図６】第１実施形態のシーリングファンの要部を示す一部縦断正面図。
【図７】第１実施形態のシーリングファンで一つの翼部を略垂直状態にした状態を示す正面図。
【図８】（ａ）は翼部と根元部の軸着部分を示す正面図、（ｂ）は翼部と根元部の軸着部分を示す平面図、（ｃ）は翼部と根元部の軸着部分を示す底面図。
【図９】第１実施形態のシーリングファンの回路構造を説明する説明図。
【図１０】（ａ）は第２実施形態のシーリングファンを天井に取り付けた状態の要部を示す一部縦断正面図、（ｂ）は引掛シーリングを示す底面図。
【符号の説明】
【００４６】
１  シーリングファン、扇風機機能付きファン
２  ケーシング
２１  上部ケーシング、モータ部
２２  下部ケーシング、補助ソケット
２２３  ソケット部
３  連結筒
５  モータ
６  口金、ネジ部
８  制御部
１１  羽根体
１１１  ベース、円筒状回転部材
１１１ａ  ベース上部
１１１ｂ  ベース下部
１１２  根元部
１１２ａ  保持部
１１３  翼部
１１３ｂ  基端部
１１３Ｃ  ピン
１１３ｄ  弧状係止片
１１３ｅ  先端
１３  白熱灯、電球
１３１  口金
１４  天井
１５  天井側ソケット
１０１  係合片
１０２  引掛シーリング
１０４  係合孔
１０６  又ソケット
【図１】
2007162673.tif 000003
【図２】
2007162673.tif 000004
【図３】
2007162673.tif 000005
【図４】
2007162673.tif 000006
【図５】
2007162673.tif 000007
【図６】
2007162673.tif 000008
【図７】
2007162673.tif 000009
【図８】
2007162673.tif 000010
【図９】
2007162673.tif 000011
【図１０】
2007162673.tif 000012